(57)【要約】      （修正有）【課題】磁石式クリップにおいて、アクセサリー的効果を具備するものを提供する。【解決手段】基台５に第１磁石１と第２磁石２を固着させ、その間に第３磁石３を浮遊状態に配置して、前記第３磁石に人形などの形をした揺動摘み４を固着させ、クリップとして使用していない時は、台などの上に置き、揺動摘み４を揺らしてアクセサリーとして使用する。一方クリップとして使用する場合は、基台５ごと吸着可能壁９に紙片を挟んで、使用するクリップを提供する。【選択図】図１
2008149641.tif 000002
【特許請求の範囲】
【請求項１】
厚み方向に貫通する貫通孔または切欠を有する基台と、前記基台に配設した第１磁石と、
前記第１磁石と磁極を同方向に向け所定間隔離間させて前記基台に配設した第２磁石と、
前記第１磁石と第２磁石との間に磁極を反対方向に向け磁力によって浮遊状態で移動自在に遊嵌させた第３磁石と、前記第３磁石に固着した固着物と、を備え、
前記固着物を基台内へ押し入れることにより前記第３磁石が吸着可能壁に吸着し、前記固着物を前記吸着可能壁から引き離すことにより前記第１磁石と第２磁石との間に磁力で前記固着物が復帰可能に構成されている
ことを特徴とするクリップ。
【請求項２】
厚み方向に貫通する貫通孔または切欠を有する基台と、前記基台に配設した第１磁石と、
前記第１磁石と磁極を同方向に向け所定間隔離間させて前記基台に配設した第２磁石と、前記第１磁石と第２磁石との間に遊嵌状態に配置される中間体と、
前記中間体の前記第１磁石近傍に前記第１磁石と磁極を反対方向に向けて固着される第３磁石と、前記中間体の前記第２磁石近傍に前記第２磁石と磁極を反対方向に向けて固着される第４磁石と、を備え、
前記中間体は前記第１磁石と第３磁石との間の吸引力及び前記第２磁石と第４磁石との間の吸引力によって前記第１磁石と第２磁石との間に浮遊状態で移動自在に遊嵌し、前記中間体を基台内へ押し入れることにより前記第３磁石と第４磁石が前記吸着可能壁に吸着し、前記中間体を前記吸着可能壁から引き離すことにより前記第１磁石と第２磁石との間に磁力で前記中間体が復帰可能に構成されている
ことを特徴とするクリップ。
【請求項３】
厚み方向に貫通する貫通孔または切欠を有する基台と、
前記貫通孔又は切欠を挟んで対向配置した厚み方向に磁極を有する第１磁石および第２磁石と、
厚み方向に磁極を有する第３磁石と、
前記第３磁石に固着した固着物と、を備え、
前記第１磁石の磁極と前記第２磁石の磁極とが同方向に配置されるとともに、退却時の磁極が前記第１磁石および前記第２磁石の磁極と反対となるように前記第３磁石が配置されることによって、前記第１磁石と前記第２磁石との間に働く磁力によって前記第３磁石および前記固着物が磁力保持され、かつ、
前記磁力保持力に抗しながら前記貫通孔又は切欠内に前記固着物を押し入れることによって、前記第３磁石が前記基台を押し当てた吸着可能壁に吸着して前記第３磁石と前記吸着可能壁との間に被挟持物を挟持可能、かつ、前記固着物の引き抜きによって前記第３磁石が前記磁力保持力によって前記第１磁石と前記第２磁石との間に復帰可能に構成されている
ことを特徴とするクリップ。
【発明の詳細な説明】
【技術分野】
【０００１】
本発明は、磁力を利用した例えばアクセサリー型のクリップに関する。
【背景技術】
【０００２】
近年、磁力や磁石を利用した種々の商品が開発されている。磁力は例えば、モーター、電磁弁、健康器具等に用いられる他、医療分野、教育分野、交通手段にも利用されており、更に今後もその利用の拡大が見込まれている。
【０００３】
一方、磁石を用いたクリップが特許文献１に記載されている。
但し、特許文献１に於いては、磁力は吸着させるだけの方法で使用されている。
【特許文献１】特願２００４−２０９２５４号公報
【発明の開示】
【発明が解決しようとする課題】
【０００４】
従来の技術に於いて、磁力の日常的な使用方法は吸引力、反発力、の単純な方法で使用され、磁石式クリップの場合でもアクセサリー的効果を期待する多目的な利用方法はあまり見かけない。
【課題を解決するための手段】
【０００５】
上記の課題を解決すべく、本発明は以下の構成を提供する。
請求項１に係る発明は、基台と、前記基台に配設した第１磁石と、前記第１磁石と磁極を同方向に向け所定間隔離間させて前記基台に配設した第２磁石と、前記第１磁石と第２磁石との間に磁極を反対方向に向け磁力によって浮遊状態で移動自在に遊嵌させた第３磁石と、前記第３磁石に固着した固着物と、を備え、前記固着物を基台内へ押し入れることにより前記第３磁石が吸着可能壁に吸着し、前記固着物を前記吸着可能壁から引き離すことにより前記第１磁石と第２磁石との間に磁力で前記固着物が復帰可能に構成されていることを特徴とするクリップを提供するものである。
【０００６】
請求項２に係る発明は、厚み方向に貫通する貫通孔または切欠を有する基台と、前記基台に配設した第１磁石と、前記第１磁石と磁極を同方向に向け所定間隔離間させて前記基台に配設した第２磁石と、前記第１磁石と第２磁石との間に遊嵌状態に配置される中間体と、前記中間体の前記第１磁石近傍に前記第１磁石と磁極を反対方向に向けて固着される第３磁石と、前記中間体の前記第２磁石近傍に前記第２磁石と磁極を反対方向に向けて固着される第４磁石と、を備え、前記中間体は前記第１磁石と第３磁石との間の吸引力及び前記第２磁石と第４磁石との間の吸引力によって前記第１磁石と第２磁石との間に浮遊状態で移動自在に遊嵌し、前記中間体を基台内へ押し入れることにより前記第３磁石と第４磁石が前記吸着可能壁に吸着し、前記中間体を前記吸着可能壁から引き離すことにより前記第１磁石と第２磁石との間に磁力で前記中間体が復帰可能に構成されていることを特徴とするクリップを提供するものである。
【０００７】
請求項３に係る発明は、厚み方向に貫通する貫通孔または切欠を有する基台と、
前記貫通孔又は切欠を挟んで対向配置した厚み方向に磁極を有する第１磁石および第２磁石と、厚み方向に磁極を有する第３磁石と、前記第３磁石に固着した固着物と、を備え、前記第１磁石の磁極と前記第２磁石の磁極とが同方向に配置されるとともに、退却時の磁極が前記第１磁石および前記第２磁石の磁極と反対となるように前記第３磁石が配置されることによって、前記第１磁石と前記第２磁石との間に働く磁力によって前記第３磁石および前記固着物が磁力保持され、かつ、前記磁力保持力に抗しながら前記貫通孔又は切欠内に前記固着物を押し入れることによって、前記第３磁石が前記基台を押し当てた吸着可能壁に吸着して前記第３磁石と前記吸着可能壁との間に被挟持物を挟持可能、かつ、前記固着物の引き抜きによって前記第３磁石が前記磁力保持力によって前記第１磁石と前記第２磁石との間に復帰可能に構成されていることを特徴とするクリップを提供するものである。
【発明の効果】
【０００８】
本発明の請求項１記載の発明によれば、基台にある程度距離を開けて２つの磁石を固着させ、その間に第３磁石を浮遊状態に磁着させて人形などの形をした摘みをその上に固着させる。横方向に加力することにより人形は揺動し、アクセサリーとして使用する。
一方、クリップとして使用する場合は、そのまま摘みの部分を指で持ち、被挟持体を間に挟み前記吸着可能壁に吸着させて使用するクリップを提供することが出来る。
【０００９】
請求項２記載の発明によれば、基台にある程度距離を開けて２つの磁石を固着させ、その間に第３磁石を浮遊状態に磁着させて人形などの形をした摘みをその上に固着させる。横方向に加力することにより人形は揺動し、アクセサリーとして使用する。
一方、クリップとして使用する場合は、そのまま摘みの部分を指で持ち、被挟持体を間に挟み前記吸着可能壁に吸着させて使用するクリップを提供することが出来る。
【００１０】
請求項３記載の発明によれば、基台にある程度距離を開けて２つの磁石を固着させ、その間に第３磁石を浮遊状態に磁着させて人形などの形をした摘みをその上に固着させる。横方向に加力することにより人形は揺動し、アクセサリーとして使用する。
一方、クリップとして使用する場合は、そのまま摘みの部分を指で持ち、被挟持体を間に挟み前記吸着可能壁に吸着させて使用するクリップを提供することが出来る。
【発明を実施するための最良の形態】
【００１１】
各図を参照しながら、本発明を実施するための最良の形態（以下、「本実施形態」という）について説明する。
尚、本実施形態（１）で用いる構成材と、同じ働きをする構成部には同一番号を付し説明を可能な限り省略する。
【００１２】
図１は本実施形態（１）の、クリップの磁石部分を透視した構成図である。基台５の中央は貫通孔６であり、基台５の下部は空洞７で上部の貫通孔６へ抜けている。第１磁石１と第２磁石２は基台５の内側から固着し、その間に第３磁石３が浮遊状態で磁着し、その上に揺動摘み４が固着する。
尚、貫通孔６は揺動摘み４の揺動と、クリップとして下に押し下げるスペースとして必要であり、貫通孔６でなくても貫通する切欠部１３があればよい。又、第１磁石１と第２磁石２は、基台５の上下及び内部に殆ど埋まった形まで、揺動する機能が損なわれない方法であれば良い。
【００１３】
揺動摘み４は基台５から簡単に外れるため、揺動摘み４だけでクリップとして使用することも出来る。図１では、第１磁石１(上がＳ)と第２磁石２(上がＳ)は厚み方向に磁極を向け、揺動摘み４下部の第３磁石３(上がＮ)は、厚み方向に磁極を向け、第１磁石１と第２磁石２との間で、片方或は両方に磁着しながら浮遊状態で揺れるように構成されている。
【００１４】
図２は本実施形態（１）の、クリップの磁石部分を透視した斜視図である。クリップとして使用していない時、台などの上に置き指などで軽く触れると揺動摘み４が前後に揺れアクセサリーとして使用する。
【００１５】
図３は本実施形態（１）の、クリップを吸着可能壁９に吸着させた形態での正面断面図である。
クリップとして使用する場合は、揺動摘み４を指で持ち、吸着可能壁９に被挟持体１１を間に挟み吸着させる。基台５は第３磁石３の磁力に吸引されて吸着可能壁９に吸着するか、吸着可能壁９と揺動摘み４の間にぶら下がり留まる。
一方、揺動摘み４を吸着可能壁９から引き離し台などの上に置くと、磁力で第１磁石１と第２磁石２との間に磁力で復帰して浮遊状態のアクセサリーに戻る。
【００１６】
図４は本実施形態（２）の、揺動摘み４の最下部先端にピン８を装着したクリップの構成図である。揺動するアクセサリーとしての機能は同じであり、基台５はピン８より長くして揺動摘み４が揺れるように構成する。他の部分は本実施形態（１）の構成と同様である。
【００１７】
尚、基台５はピン８の安全性を考慮したカバーとしての役目を果たす。
【００１８】
図５は本実施形態（２）の、クリップの磁石部分を透視した斜視図である。もし、クリップとして使用していない時、台などの上に置き指などで軽く触れることにより、揺動摘み４が前後に揺れアクセサリーとして使用する。
【００１９】
図６は本実施形態（２）の、クリップを壁に刺し込んだ形態での正面断面図である。クリップとして使用する場合は、被挟持体１１を間に挟み、揺動摘み４を指で持ち、壁１０に差し込む。基台５は、揺動摘み４の部分にぶら下がった状態で留まる。
他方、揺動摘み４を壁１０から引き離し台などの上に置くと、揺動摘み４は、第１磁石１と第２磁石２との間に磁力で復帰して浮遊状態のアクセサリーに戻る。
【００２０】
図７は本発明による実施形態（１）（２）で使用可能な、基台部分の形状を上面から見た参考図である。（Ａ）図は、貫通孔６のある場合の基台５の参考例である。（Ｂ）図は、切欠部１２のある基台５の参考例である。何れも貫通孔６、切欠部１２の空間部分に揺動摘み４を浮遊状態で保持する。
【図面の簡単な説明】
【００２１】
【図１】本発明による実施形態（１）の、クリップの磁石部分を透視した構成図である。
【図２】本発明による実施形態（１）の、クリップの磁石部分を透視した斜視図である。
【図３】本発明による実施形態（１）の、クリップを吸着可能壁に吸着させた形態での正面断面図である。
【図４】本発明による実施形態（２）の、クリップにピンを装着し磁石部分を透視した構成図である。
【図５】本発明による実施形態（２）の、クリップの磁石部分を透視した斜視図である。
【図６】本発明による実施形態（２）の、クリップを壁に刺し込んだ形態での正面断面図である。
【図７】本発明による実施形態（１）、（２）に使用出来る基台部分を上面から見た形状の参考例である。
【符号の説明】
【００２２】
１.    第１磁石
２.    第２磁石
３.    第３磁石
４.    揺動摘み
５.    基台
６.    貫通孔
７.    空洞
８.    ピン
９.    吸着可能壁
１０.    壁（吸着可能壁を含む）
１１.    被挟持体(紙片など)
１２.    切欠部
【図３】
2008149641.tif 000003
【図６】
2008149641.tif 000004
【図７】
2008149641.tif 000005
【図１】
2008149641.tif 000006
【図２】
2008149641.tif 000007
【図４】
2008149641.tif 000008
【図５】
2008149641.tif 000009